(57)【特許請求の範囲】
【請求項１】
コントローラが、設置されたグルーピングタグ値の指示する各物理リソースブロックグループにおけるオーバーロードインジケーター値が使用する２進数を併せて進数変換を行うことと、
前記コントローラが進数変換により生成された数値を新しい２進数に変換し、且つ各物理リソースブロックグループにおける新しい２進数を併せてオーバーロードインジケーター報告を生成することと、
前記コントローラがグルーピングタグ値に１を加えて現在のグルーピングタグ値とし、且つ現在のグルーピングタグ値がユーザーの占用する全部物理リソースブロックの数よりも大きいかどうかを判断し、大きいときには、前記コントローラが、各グルーピングタグ値の対応するオーバーロードインジケーター報告が占用するビット数を比較し、その中の占用するビット数のもっとも少ないオーバーロードインジケーター報告が対応する物理リソースブロックグルーピング方式を選択して前記コントローラのオーバーロードインジケーター報告フォーマットとし、さもないときには、前記コントローラが再び進数変換を行うこととを備えるオーバーロードインジケーター報告の生成と報告方法。
【請求項２】
前記コントローラが基地局である場合、前記ユーザーが中継局或いはユーザー端末である請求項１に記載の方法。
【請求項３】
前記コントローラが中継局である場合、前記ユーザーがユーザー端末であり、且つ前記中継局が第１回の進数変換を行う前にさらに、
基地局が、前記中継局が使用するオーバーロードインジケーター報告フォーマットの生成方式を指定し、且つ該オーバーロードインジケーター報告フォーマットの生成方式を前記中継局に発信することと、
前記中継局が、前記基地局が発信した前記オーバーロードインジケーター報告フォーマットの生成方式を受信し、且つ受信した前記オーバーロードインジケーター報告フォーマットの生成方式が固定方式であるかどうかを判断し、固定方式であるときには、前記中継局が前記オーバーロードインジケーター報告フォーマットの生成方式に携帯されるパラメータである固定の物理リソースブロックグルーピング方式及び固定の２進数を抽出し、且つ該固定の物理リソースブロックグルーピング方式を使用して前記中継局のオーバーロードインジケーター報告フォーマットとし、該固定の２進数を使用してオーバーロードインジケーター報告を生成し、その後現在の処理プロセスを完了し、さもないときには、前記中継局が進数変換を行うこととを備える請求項１に記載の方法。
【請求項４】
前記固定の物理リソースブロックグルーピング方式は、占用するビット数のもっとも少ないオーバーロードインジケーター報告が対応する物理リソースブロックグルーピング方式である請求項３に記載の方法。
【請求項５】
前記進数変換を行う公式は、
【数１】
0005145464.tif 000004
（その中、ｎがグルーピングタグ値であり、Ｘｉ−１がグルーピング内の第ｉ個目の物理リソースブロックにおけるオーバーロードインジケーター値であり、Ｏが規定されたオーバーロードインジケーター値のグレージング数である。）
である請求項１〜４のいずれか１項に記載の方法。
【請求項６】
前記Ｘｉ−１が０，１，２のいずれかの値で、前記Ｏが３である請求項５に記載の方法。
【請求項７】
前記グルーピングタグ値が第１回目に２に設置される請求項１〜４のいずれか１項に記載の方法。
【請求項８】
設置されたグルーピングタグ値の指示する各物理リソースブロックグルーピングにおけるオーバーロードインジケーター値が使用する２進数を併せて進数変換を行い、さらに進数変換により生成された数値を新しい２進数に変換し、且つ各物理リソースブロックグルーピングにおける新しい２進数を併せてオーバーロードインジケーター報告を生成するように配置される進数変換モジュールと、
グルーピングタグ値に１を加えて現在のグルーピングタグ値とし、且つ現在のグルーピングタグ値がユーザーの占用する全部物理リソースブロックの数よりも大きいかどうかを判断し、大きいときには、物理リソースブロックグルーピング方式選択モジュールを始動し、さもないときには、前記進数変換モジュールを始動するように配置されるグルーピングタグ値判断モジュールと、
各グルーピングタグ値の対応するオーバーロードインジケーター報告が占用するビット数を比較し、その中の占用するビット数のもっとも少ないオーバーロードインジケーター報告が対応する物理リソースブロックグルーピング方式をコントローラのオーバーロードインジケーター報告フォーマットとするように配置される物理リソースブロックグルーピング方式選択モジュールとを備えるオーバーロードインジケーター報告の生成と報告装置。
【請求項９】
前記コントローラが基地局である場合、前記ユーザーが中継局或いはユーザー端末である請求項８に記載の装置。
【請求項１０】
前記コントローラが中継局である場合、前記ユーザーがユーザー端末であり、且つさらに、
前記中継局が使用するオーバーロードインジケーター報告フォーマットの生成方式を指定するように配置されるオーバーロードインジケーター報告フォーマット生成方式指定モジュールと、
前記オーバーロードインジケーター報告フォーマット生成方式指定モジュールが発信したオーバーロードインジケーター報告フォーマットの生成方式を受信するように配置されるオーバーロードインジケーター報告フォーマット生成方式受信モジュールと、
受信したオーバーロードインジケーター報告フォーマットの生成方式が固定方式であると判断する場合、オーバーロードインジケーター報告フォーマット確定モジュールを始動し、自動生成と最適化方式であると判断する場合、前記進数変換モジュールを始動するように配置されるオーバーロードインジケーター報告フォーマット生成方式判断モジュールと、
オーバーロードインジケーター報告フォーマットの生成方式が固定方式であると、オーバーロードインジケーター報告フォーマットの生成方式に携帯されるパラメータである固定の物理リソースブロックグルーピング方式及び固定の２進数を抽出し、且つ該固定の物理リソースブロックグルーピング方式を使用して前記中継局のオーバーロードインジケーター報告フォーマットとし、該固定の２進数を使用してオーバーロードインジケーター報告を生成するように配置されるオーバーロードインジケーター報告フォーマット確定モジュールとを備える請求項８に記載の装置。
【発明の詳細な説明】
【発明の詳細な説明】
【０００１】
〔技術分野〕
本発明は、第３世代パートナーシップ・プロジェクト（３ＧＰＰ）のロング・ターム・エボリューション（ＬＴＥ）分野に関し、特にオーバーロードインジケーター（ＯＩ：Overload Indicator）報告の生成と報告方法及び装置に関する。
【０００２】
〔背景技術〕
次世代広帯域無線通信ネットワークにおいて、どのように無線通信ネットワークにおけるセル間干渉を解决するかがセル間のユーザー端末（ＵＴ：User Terminal）スループット及び平均ＵＴスループットを向上できるかどうかの１つの重要要素になっている。
【０００３】
現在、電気電子技術者協会(ＩＥＥＥ)８０２．１６ｊ、高級国際移動通信（ＩＭＴ−Advanced）、及びＷＩＮＮＥＲ（Wireless World Initiative New Radio）において、いずれも干渉ランダム化、干渉協調、干渉キャンセラなどの方法でセル間干渉の問題を解决することを提出している。
【０００４】
ＬＴＥは、あるセルの隣接セルが該セルのＵＴに対しての干渉によって該セルのカバーするエリアを内層と外層とに分けることを提案する。内層はセル間干渉がないエリアであり、全パワー補償によってセル間干渉問題を解决し、外層はセル間干渉があるエリアであり、部分パワー制御及びパス損失補償の方法によってセル間干渉問題を解决する。その中、部分パワー制御及びパス損失補償が、干渉協調（interference coordination）方法に属する。
【０００５】
さらに、ＬＴＥは、ＯＩによって受けるセル間干渉レベルが高いそれらのＵＴが占用する物理リソースブロック（ＰＲＢ：Physical Resource Block）の干渉状態を指摘してＯＩ報告を生成し、無線通信ネットワークのカバーする範囲内の異なる基地局（ＢＳ：Base Station）の間にＯＩ報告を伝送してＰＲＢの干渉状態を協議し、それから一定の措施を採用して該ＰＲＢにおけるセル間干渉を有效的に低下させ、最終にセル間干渉が協調する目的を達することを提案する。その中、ＯＩ報告がＵＴの占用する全部ＰＲＢの干渉状態を指摘することに用いられる。
【０００６】
ＬＴＥは、ＯＩに対しての規定が以下のとおりである。各ＰＲＢにいずれも１つのＯＩ値を設置し、該ＯＩ値が２，１，０の３つのレベルに分け、それぞれにＰＲＢ現在の干渉状態が高干渉、中度干渉、低干渉であることを代表し、各ＯＩ値が２ビット（ｂｉｔ）で表し、即ち「１０」で「高」を表し、「０１」で「中」を表し、「００」で「低」を表す。ＯＩ報告がＵＴの占用する全部ＰＲＢにおけるＯＩ値の集合であり、ＯＩ値が２進数で表すため、相応に、ＯＩ報告も２進数で表す。
【０００７】
しかしながら、２ビットが「１１」、「１０」、「０１」、「００」の４つの表現方式があり、それぞれ４つの干渉状態を表することができて、ＬＴＥが３つの干渉状態だけ用い、したがって１つの状態が浪費される。これはＯＩ報告が、使用するビット数を浪費したことを意味し、しかしながらビット数の使用が多いほど、システムが浪費したリソースが多くなることを意味し、システムオーバヘッドが多くなることをも意味している。
【０００８】
〔発明の開示〕
〔発明が解決しようとする課題〕
これに鑑み、本発明は、ＯＩ報告が使用するビット数を減少させ、且つシステムオーバヘッドを低下させるＯＩ報告フォーマット自動生成と最適化の方法及び装置を提供することを主な目的とする。
【０００９】
〔課題を解決するための手段〕
前記目的を達するため、本発明にかかる技術方案は、以下のように達成する。
【００１０】
オーバーロードインジケーター報告の生成と報告方法であり、
コントローラが、設置されたグルーピングタグ値の指示する各物理リソースブロックグループにおけるオーバーロードインジケーター値が使用する２進数を併せて進数変換を行うことと、
前記コントローラが進数変換により生成された数値を新しい２進数に変換し、且つ各物理リソースブロックグループにおける新しい２進数を併せてオーバーロードインジケーター報告を生成することと、
前記コントローラがグルーピングタグ値に１を加えて現在のグルーピングタグ値とし、且つ現在のグルーピングタグ値がユーザーの占用する全部物理リソースブロックの数よりも大きいかどうかを判断し、大きいときには、前記コントローラが、各グルーピングタグ値の対応するオーバーロードインジケーター報告が占用するビット数を比較し、その中の占用するビット数のもっとも少ないオーバーロードインジケーター報告が対応する物理リソースブロックグルーピング方式を選択して前記コントローラのオーバーロードインジケーター報告フォーマットとし、さもないときには、前記コントローラが再び進数変換を行うこととを備える。
【００１１】
その中、前記コントローラが基地局である場合、前記ユーザーが中継局或いはユーザー端末であってもよい。
【００１２】
その中、前記コントローラが中継局である場合、前記ユーザーがユーザー端末であってもよく、且つ前記中継局が第１回の進数変換を行う前に前記方法はさらに、
基地局が、前記中継局が使用するオーバーロードインジケーター報告フォーマットの生成方式を指定し、且つ該オーバーロードインジケーター報告フォーマットの生成方式を前記中継局に発信することと、
前記中継局が、前記基地局が発信した前記オーバーロードインジケーター報告フォーマットの生成方式を受信し、且つ受信した前記オーバーロードインジケーター報告フォーマットの生成方式が固定方式であるかどうかを判断し、固定方式であるときには、前記中継局が前記オーバーロードインジケーター報告フォーマットの生成方式に携帯されるパラメータである固定の物理リソースブロックグルーピング方式及び固定の２進数を抽出し、且つ該固定の物理リソースブロックグルーピング方式を使用して前記中継局のオーバーロードインジケーター報告フォーマットとし、該固定の２進数を使用してオーバーロードインジケーター報告を生成し、その後現在の処理プロセスを完了し、さもないときには、前記中継局が進数変換を行うこととを備えてもよい。
【００１３】
その中、前記固定の物理リソースブロックグルーピング方式は、占用するビット数のもっとも少ないオーバーロードインジケーター報告が対応する物理リソースブロックグルーピング方式であってもよい。
【００１４】
その中、前記進数変換を行う公式は、
【００１５】
【数１】
0005145464.tif 000002
【００１６】
（その中、ｎがグルーピングタグ値であり、Ｘｉ−１がグルーピング内の第ｉ個目の物理リソースブロックにおけるオーバーロードインジケーター値であり、Ｏが規定されたオーバーロードインジケーター値のグレージング数である。）
であってもよい。
【００１７】
その中、公式中の前記Ｘｉ−１が０，１，２のいずれかの値であってもよく、前記Ｏが３であってもよい。
【００１８】
その中、前記グルーピングタグ値が第１回目に２に設置されてもよい。
【００１９】
また、本発明は、オーバーロードインジケーター報告の生成と報告装置であって、
設置されたグルーピングタグ値の指示する各物理リソースブロックグルーピングにおけるオーバーロードインジケーター値が使用する２進数を併せて進数変換を行い、さらに進数変換により生成された数値を新しい２進数に変換し、且つ各物理リソースブロックグルーピングにおける新しい２進数を併せてオーバーロードインジケーター報告を生成するように配置される進数変換モジュールと、
グルーピングタグ値に１を加えて現在のグルーピングタグ値とし、且つ現在のグルーピングタグ値がユーザーの占用する全部物理リソースブロックの数よりも大きいかどうかを判断し、大きいときには、物理リソースブロックグルーピング方式選択モジュールを始動し、さもないときには、前記進数変換モジュールを始動するように配置されるグルーピングタグ値判断モジュールと、
各グルーピングタグ値の対応するオーバーロードインジケーター報告が占用するビット数を比較し、その中の占用するビット数のもっとも少ないオーバーロードインジケーター報告が対応する物理リソースブロックグルーピング方式をコントローラのオーバーロードインジケーター報告フォーマットとするように配置される物理リソースブロックグルーピング方式選択モジュールとを備える。
【００２０】
その中、前記コントローラが基地局である場合、前記ユーザーが中継局或いはユーザー端末であってもよい。
【００２１】
その中、前記コントローラが中継局である場合、前記ユーザーがユーザー端末であり、且つ前記装置はさらに、
前記中継局が使用するオーバーロードインジケーター報告フォーマットの生成方式を指定するように配置されるオーバーロードインジケーター報告フォーマット生成方式指定モジュールと、
前記オーバーロードインジケーター報告フォーマット生成方式指定モジュールが発信したオーバーロードインジケーター報告フォーマットの生成方式を受信するように配置されるオーバーロードインジケーター報告フォーマット生成方式受信モジュールと、
受信したオーバーロードインジケーター報告フォーマットの生成方式が固定方式であると判断する場合、オーバーロードインジケーター報告フォーマット確定モジュールを始動し、自動生成と最適化方式であると判断する場合、前記進数変換モジュールを始動するように配置されるオーバーロードインジケーター報告フォーマット生成方式判断モジュールと、
オーバーロードインジケーター報告フォーマットの生成方式が固定方式であると、オーバーロードインジケーター報告フォーマットの生成方式に携帯されるパラメータである固定の物理リソースブロックグルーピング方式及び固定の２進数を抽出し、且つ該固定の物理リソースブロックグルーピング方式を使用して前記中継局のオーバーロードインジケーター報告フォーマットとし、該固定の２進数を使用してオーバーロードインジケーター報告を生成するように配置されるオーバーロードインジケーター報告フォーマット確定モジュールとを備えてもよい。
【００２２】
以上の技術考案から見ると、本発明はまずＲＳ或いはＵＴの占用するＰＲＢに対して自動グルーピング処理を行い、さらに各ＰＲＢグループにおけるＯＩ値が使用する２進数を併せて進数変換を行い、進数変換した後の数値をもう一度２進数に変換し、且つ各ＰＲＢグルーピングにおける新しい２進数を併せてＯＩ報告を生成し、最後使用するビット数がもっとも少ないＯＩ報告が対応するＰＲＢグルーピング方式を選択して最終のＯＩ報告フォーマットとし、それによって、システムのリソースを節約し、且つ有效的にシステムオーバヘッドを低下させることがわかる。
【００２３】
〔発明を実施するための最良の形態〕
以下、本発明をさらに詳しく説明する。
【００２４】
本発明は、主に中継局（ＲＳ：Relay Station）付き中継ネットワークに応用する。中継ネットワークに、ＢＳはコントローラとしてＯＩ報告でユーザーの占用する各ＰＲＢの干渉状態を指示する必要があり、その中、前記ユーザーはＢＳのサービスした干渉受けたＲＳ或いはＵＴであり、また、ＲＳがコントローラとされる場合、ＲＳもＯＩ報告でユーザーの占用する各ＰＲＢの干渉状態を指示する必要があり、その中、前記ユーザーはＲＳのサービスした干渉受けたＵＴである。
【００２５】
したがって、本発明ＯＩ報告フォーマット自動生成と最適化の方法は２つの方面を含み、一方がＢＳのＯＩ報告フォーマット自動生成と最適化の方法であり、他方がＲＳのＯＩ報告フォーマット自動生成と最適化の方法である。
【００２６】
図１に示すように、ＢＳのＯＩ報告フォーマット自動生成と最適化の方法は、以下のステップを含む。
【００２７】
ステップ１０１：ＢＳはＯＩ値が使用するグレージング方式を確定する。その中、ＯＩ値が使用するグレージング方式はネットワークの需要によって柔軟的に設置してもよい。例えば、ＬＴＥにおいてＯＩ値を３つのレベルに設置し、それぞれ「高」、「中」、「低」であるように規定する。
【００２８】
ステップ１０２：ＢＳは自身のサービスしたＲＳが占用する全部ＰＲＢを確定する。
【００２９】
ステップ１０３：ＢＳはＲＳが占用する各ＰＲＢにおけるＯＩ値を確定し、各ＯＩ値がいずれも２ビットの２進数で表する。その中、ＲＳが占用するＰＲＢの数及び各ＰＲＢにおけるＯＩ値と言う情報はＲＳでＢＳに報告する。
【００３０】
ステップ１０４：ＢＳはＰＲＢのグルーピングタグ値を設置し、ここでは、第１回設置されたグルーピングタグ値をグルーピングタグ初期値（ＧＴＩＶ：Grouping Tag Initial Value）とする。その中、グルーピングタグ初期値がＲＳの占用するＰＲＢの数を超えなければ、任意に設置してもよい。例えば、ＲＳが６０のＰＲＢを占用する時、グルーピングタグ初期値が１に設置してもよく、１つのＰＲＢが１組を構成することを表し、グルーピングタグ初期値が２に設置してもよく、２つの連続のＰＲＢが１組を構成することを表する。しかしながら、グルーピングタグ初期値が１に設置する時、ＰＲＢに対してグルーピングしないことに相当し、この場合にＯＩ報告を生成する時、占用するビット数が従来の技術と区別がなく、したがって好ましくはグルーピングタグ初期値を２に設置すべきである。
【００３１】
グルーピングタグ値を設置するのは、後のステップにおいてどんなＰＲＢグループの場合に２進数で生成したＯＩ報告の占用するビット数が最も少ないであることを計算するためである。
【００３２】
ステップ１０５：ＢＳはグルーピングタグ値の指示する各ＰＲＢグルーピングにおけるＯＩ値が使用する２進数を併せて進数変換を行う。
【００３３】
ここでは、進数変換を行う公式は、
【００３４】
【数２】
0005145464.tif 000003
【００３５】
である。その中、ｎがグルーピングタグ値であり、即ち、１つのグループ内にｎ個の連続のＰＲＢがあり、Ｘｉ−１がグループ内の第ｉ個のＰＲＢにおけるＯＩ値である。Ｏが規定されたＯＩ値のグレージング数であり、ＬＴＥにおいて即ち３である。
【００３６】
以下では、例を挙げてどのように進数変換を行うかについて説明する。
【００３７】
グルーピングタグ値が２であると、２つの連続のＰＲＢを１組みに分けることを表し、且つ第１個のＰＲＢ、第２個のＰＲＢの干渉状態をそれぞれ中、高に仮定し、２進数で表するＯＩ値が即ちそれぞれ０１，１０であり、２進数を他の進数、例えば１０進数に変換しようとする時、まず０１，１０を１０進数に変換し、即ちそれぞれ１，２であり、さらにこのＰＲＢグループにおける２つのＯＩ値を併せて１０進数に変換し、即ち、
Ｎ＝Ｘ０×３０＋Ｘ１×３１＝１×３０＋２×３１＝７。
【００３８】
ステップ１０６：ＢＳは各ＰＲＢグループにおける進数変換により生成された数値を新しい２進数に変換し、且つ各ＰＲＢグループにおける新しい２進数を併せてＯＩ報告を生成する。
【００３９】
ステップ１０５に挙げられた例を受けて、１０進数の７を２進数に変換すると１１１になる。従来の技術が４ビットで２つの連続のＰＲＢの干渉状態を表する必要があり、本発明は、２つの連続のＰＲＢを１組に分ける方式を採用すると、３つのビットだけで２つの連続のＰＲＢの干渉状態を表することができ、１ビットを節約することができることが分かる。ＲＳの占用するＰＲＢが多ければ多いほど、このシステムオーバヘッドの節約がより著しくなる。例えば、１０個のＰＲＢがある時、従来の技術は２０個のビットで１０個のＰＲＢの干渉状態を表する必要があり、本発明は、２つの連続のＰＲＢを１組に分ける方式を採用し、且つ各組みのＰＲＢのＯＩ値がいずれもそれぞれ０１，１０であると、３×５＝１５ビットだけで１０個のＰＲＢの干渉状態を表することができ、著しく２進数でＯＩ報告を生成する時の占用するビット数を減少させる。
【００４０】
ここで例を挙げることは、進数変換を行う過程を詳しく説明するためだけであり、２つのＰＲＢを１組に分けると、ＯＩ報告を生成するとき節約したビット数が最も少ないであることに理解してはいけなく、以下のステップに、本発明はさらに他のＰＲＢグルーピング方式があることを提出する。
【００４１】
他のＰＲＢグルーピング方式で、ＯＩ報告を生成する時節約したビット数が、２つを１組に分ける方式よりも多いことを排除しなく、したがって、ＰＲＢグループに対して最適化の選択を行う必要がある。
【００４２】
ステップ１０７：ＢＳはＰＲＢのグルーピングタグ値に１を加えて現在のグルーピングタグ値とする。
【００４３】
ステップ１０８：ＢＳは現在のグルーピングタグ値がＲＳの占用する全部ＰＲＢの数よりも大きいかどうかを判断し、大きいときには、ステップ１０９を実行し、さもないときには、ステップ１０５に戻す。その中、ステップ１０８は、ＲＳの占用するＰＲＢに対して各種類の異なるグルーピングを行い、さらに異なるＰＲＢグループに対していずれもステップ１０５、１０６の計算を行うことを目的とする。
【００４４】
ステップ１０９：ＢＳは、各グルーピングタグ値が対応する、新しい２進数で生成したＯＩ報告の占用するビット数を比較し、その中の占用するビット数が最も少ないであるＯＩ報告の対応するＰＲＢグルーピング方式を選択してＢＳ最終のＯＩ報告フォーマットとする。
【００４５】
最終のＯＩ報告フォーマットを得ると同時に、ＢＳは相応的に自身のカバー範囲において干渉受けたＲＳが占用する各ＰＲＢの干渉状態に対してＯＩ報告を生成し、且つこのＯＩ報告が占用するビット数が最も少ないである。その後、ＢＳは該ＯＩ報告を中継ネットワークの中の他のＢＳに送信して協議を行い、これによってセル間干渉を低下させる。
【００４６】
ＲＳが中継ネットワークにおいて二重特性を有するため、ＲＳが所属のＢＳにとって、ＲＳがＵＴに相当し、したがって、ＢＳが自身のサービスしたＵＴが占用するＰＲＢに対しての処理とＢＳが自身のサービスしたＲＳが占用するＰＲＢに対しての処理とが類似であり、ここでは説明を省略する。ただし、前者と後者との異なる点は、ＢＳが、ＵＴの占用する全部ＰＲＢ及びＵＴの占用する各ＰＲＢにおけるＯＩ値を確定する時、ＵＴの占用するＰＲＢの数及び各ＰＲＢにおけるＯＩ値という情報がＵＴによってＢＳに報告されることである。
【００４７】
さらに、ＲＳ自身のサービスしたＵＴにとって、ＲＳはまたＢＳに相当し、したがって、ＲＳもＯＩ報告で自身のサービスした干渉されたＵＴが占用する各ＰＲＢの干渉状態を指示する必要があり、相応的に、ＲＳのＯＩ報告フォーマットの生成と最適化もある。
【００４８】
図２に示すように、ＲＳのＯＩ報告フォーマットの生成と最適化の方法は、以下のステップを備る。
【００４９】
ステップ２０１：ＢＳは自身のサービスしたＲＳが使用するＯＩ報告フォーマットの生成方式を指定する。ＲＳのサービスが大きな程度でそれの所属のＢＳに制御されるため、ＲＳがどのようなＯＩ報告フォーマットの生成方式を使用するかは、ＢＳによって確定する。
【００５０】
その中、ＯＩ報告フォーマットの生成方式は２つあり、一方の方式は、固定方式であり、即ちＢＳが、直接にＲＳに、ある固定のＰＲＢグルーピング方式及び固定の２進数を使用してＯＩ報告を生成することを指定することであり、他方の方式は、ＢＳが、ＲＳにＯＩ報告自動生成と最適化方式を使用することを指定することである。
【００５１】
ステップ２０２：ＢＳはアップリンク授権によってＲＳにＯＩ報告フォーマットの生成方式を発信する。発信したＯＩ報告フォーマットの生成方式が固定方式であるときには、発信したＯＩ報告フォーマット生成方式に携帯されるパラメータが、固定のＰＲＢグルーピング方式及び固定のＯＩ報告を生成するための２進数を含む。
【００５２】
ステップ２０３：ＲＳはアップリンク授権によってＢＳの発信したＯＩ報告フォーマットの生成方式を受信する。
【００５３】
ステップ２０４：ＲＳは受信したＯＩ報告フォーマットの生成方式が固定方式であるかどうかを判断し、固定方式であるときにはステップ２０５を実行し、さもないときには、自動生成と最適化方式であり、ステップ２０６を実行する。
【００５４】
ステップ２０５：ＲＳはＯＩ報告フォーマットの生成方式に携帯されるパラメータである固定のＰＲＢグルーピング方式及び固定の２進数を抽出し、該固定のＰＲＢグルーピング方式をＲＳのＯＩ報告フォーマットとし、さらに、ＲＳは該固定の２進数を利用してＯＩ報告を生成し、その後、現在の処理プロセスを完了する。
【００５５】
ここで説明すべきことは、ＢＳはＲＳに発信したＯＩ報告フォーマットの生成方式が固定方式であるときには、ＵＴの占用するＰＲＢのグルーピング及びグルーピング方式に対しての最適化選択がＢＳにより完成することを表明することである。具体的に、即ちＵＴが自身の占用するＰＲＢ及び各ＰＲＢにおけるＯＩ値をＵＴが所属のＲＳに報告し、さらにＲＳによってＲＳが所属のＢＳに報告し、ＢＳは、ＵＴの占用するＰＲＢに対してグルーピングを行い、且つ最適化のＰＲＢグルーピング方式を選択し、該プロセスが図１に表したプロセスと類似なので、ここで説明を省略する。その後、ＢＳは、該最適化のＰＲＢグルーピング方式、及び該最適化のＰＲＢグルーピング方式と対応する、ＯＩ報告を生成するための２進数をＲＳに発信する。したがって、固定のＰＲＢグルーピング方式は、即ち、使用するビット数が最も少ないＯＩ報告が対応するＰＲＢグルーピング方式であり、固定の２進数は、即ち使用するビット数が最も少ない、ＯＩ報告を生成するための２進数である。
【００５６】
ステップ２０６：ＲＳは自身のサービスしたＵＴが占用する全部ＰＲＢを確定する。
【００５７】
ステップ２０７：ＲＳはＵＴが占用する各ＰＲＢにおけるＯＩ値を確定し、各ＯＩ値がいずれも２ビットの２進数で表する。その中、ＵＴが占用するＰＲＢの数及び各ＰＲＢにおけるＯＩ値という情報がＵＴによりＲＳに報告される。
【００５８】
ステップ２０８：ＲＳはＰＲＢのグルーピングタグ値を設置し、同様に、第１回目に設置したグルーピングタグ値をＧＴＩＶと称する。
【００５９】
ステップ２０９：ＲＳはグルーピングタグ値の指示する各ＰＲＢグループにおけるＯＩ値が使用する２進数を併せて進数変換を行う。
【００６０】
ステップ２１０：ＲＳは各ＰＲＢグループにおける進数変換により生成された数値を新しい２進数に変換し、且つ各ＰＲＢグループにおける新しい２進数を併せてＯＩ報告を生成する。
【００６１】
ステップ２１１：ＲＳはＰＲＢのグルーピングタグ値に１を加えて現在のグルーピングタグ値とする。
【００６２】
ステップ２１２：ＲＳは、現在のグルーピングタグ値がＵＴの占用する全部ＰＲＢの数よりも大きいかどうかを判断し、大きいときには、ステップ２１３を実行し、さもないときには、ステップ２０９に戻す。
【００６３】
ステップ２１３：ＲＳは、各グルーピングタグ値の対応する新しい２進数で生成されたＯＩ報告が占用するビット数を比較し、その中に占用するビット数が最も少ないＯＩ報告の対応するＰＲＢグルーピング方式を選択して、ＲＳの最終のＯＩ報告フォーマットとする。その中、ステップ２０６〜２１３はそれぞれステップ１０４〜１０９と類似なので、ここでは説明を省略する。
【００６４】
最終のＯＩ報告フォーマットを得ると同時に、ＲＳは相応的に、それ自身のカバー範囲の干渉受けたＵＴが占用する各ＰＲＢの干渉状態に対してＯＩ報告を生成し、且つこの報告の占用するビット数が最も少ないである。その後、ＲＳは該ＯＩ報告を中継ネットワークにおけるほかのＢＳに発信して協議することができ、それによってセル間干渉を低下させる。
【００６５】
以上のＲＳのＯＩ報告フォーマットの生成と最適化の方法のプロセスから、ＲＳのサービスしたＵＴが占用するＰＲＢに対しての処理は、ＲＳが所属のＢＳによって達成することができ、且つＢＳによって処理結果における最適化のＰＲＢグルーピング方式をＲＳに発信してＲＳのＯＩ報告フォーマットとしてもよく、ＢＳよりＲＳを指令し、ＲＳ自身でＰＲＢに対しての処理を達成して且つ最適化のＰＲＢグルーピング方式を選択してＲＳの最終のＯＩ報告フォーマットとしてもよいことが分かる。この２つの場合でのＲＳの生成したＯＩ報告が占用するビット数はいずれも最も少ない。
【００６６】
ＢＳのＯＩ報告フォーマット自動生成と最適化方法を達成するために、本発明は相応的にＯＩ報告フォーマット自動生成と最適化の装置を提供する。図３に示すように、該装置は、
設置されたグルーピングタグ値の指示する各ＰＲＢグループにおけるＯＩ値が使用する２進数を併せて進数変換を行い、さらに各ＰＲＢグループに進数変換により生成された数値を新しい２進数に変換し、且つ各ＰＲＢグループにおける新しい２進数を併せてＯＩ報告を生成するための進数変換モジュール３０１と、
ＰＲＢのグルーピングタグ値＋１を現在のグルーピングタグ値とし、且つ現在のグルーピングタグ値がユーザーの占用する全部ＰＲＢの数よりも大きいかどうかを判断し、大きいときには、ＰＲＢグルーピング方式選択モジュール３０１を始動し、さもないときには、進数変換モジュール３０３を始動するためのグルーピングタグ値判断モジュール３０２と、各グルーピングタグ値の対応するＯＩ報告が占用するビット数を比較し、その中の占用するビット数のもっとも少ないＯＩ報告が対応するＰＲＢグルーピング方式を選択してＢＳのＯＩ報告フォーマットとするためのＰＲＢグルーピング方式選択モジュール３０３とを備える。
【００６７】
ＲＳのＯＩ報告フォーマット自動生成と最適化方法を達成するために、本発明は相応的にＯＩ報告フォーマット自動生成と最適化の装置を提供する。図４に示すように、該装置は、
ＲＳが使用するＯＩ報告フォーマットの生成方式を指定するためのＯＩ報告フォーマット生成方式指定モジュール４０１と、
ＯＩ報告フォーマット生成方式指定モジュール４０１が発信したＯＩ報告フォーマットの生成方式を受信するためのＯＩ報告フォーマット生成方式受信モジュール４０２と、
受信したＯＩ報告フォーマットの生成方式が固定方式であると判断すると、ＯＩ報告フォーマット確定モジュール４０４を始動し、自動生成と最適化方式であると、進数変換モジュール４０５を始動するためのＯＩ報告フォーマット生成方式判断モジュール４０３と、
ＯＩ報告フォーマットの生成方式が固定方式であると、ＯＩ報告フォーマットの生成方式に携帯されるパラメータである固定のＰＲＢグルーピング方式及び固定の２進数を抽出し、且つ該固定のＰＲＢグルーピング方式を使用してＲＳのＯＩ報告フォーマットとし、該固定の２進数を使用してＯＩ報告を生成するためのＯＩ報告フォーマット確定モジュール４０４と、
ＯＩ報告フォーマットの生成方式が自動生成と最適化方式であると、設置されたグルーピングタグ値の指示する各ＰＲＢグループにおけるＯＩ値が使用する２進数を併せて進数変換を行い、さらに各ＰＲＢグループに進数変換により生成された数値を新しい２進数に変換し、且つ各ＰＲＢグループにおける新しい２進数を併せてＯＩ報告を生成するための進数変換モジュール４０５と、
ＰＲＢのグルーピングタグ値＋１を現在のグルーピングタグ値とし、且つ現在のグルーピングタグ値がＵＴの占用する全部ＰＲＢの数よりも大きいかどうかを判断し、大きいときには、ＰＲＢグルーピング方式選択モジュール４０７を始動し、さもないときには、進数変換モジュール４０５を始動するためのグルーピングタグ値判断モジュール４０６と、
各グルーピングタグ値が対応するＯＩ報告が占用するビット数を比較し、その中の占用するビット数のもっとも少ないＯＩ報告が対応するＰＲＢグルーピング方式を選択してＲＳのＯＩ報告フォーマットとするためのＰＲＢグルーピング方式選択モジュール４０７とを備える。
【００６８】
前述の説明は、本発明の好適な実施例に過ぎないもので、本発明の保護範囲を限定ものではない。
【００６９】
〔産業上の利用可能性〕
以上の技術考案から見ると、本発明は、まずＲＳ或いはＵＴの占用するＰＲＢに対して自動グルーピング処理を行い、さらに各ＰＲＢグループにおけるＯＩ値が使用する２進数を併せて進数変換を行い、進数変換した後の数値をもう一度２進数に変換し、且つ各ＰＲＢグループにおける新しい２進数を併せてＯＩ報告を生成し、最後使用するビット数が最も少ないＯＩ報告が対応するＰＲＢグルーピング方式を選択して最終のＯＩ報告フォーマットとし、それによって、システムのリソースを節約し、且つ有效的にシステムオーバヘッドを低下させることがわかる。
【図面の簡単な説明】
【００７０】
【図１】本発明におけるＢＳのＯＩ報告フォーマット自動生成と最適化方法の実現フローチャートである。
【図２】本発明におけるＲＳのＯＩ報告フォーマット自動生成と最適化方法の実現フローチャートである。
【図３】本発明におけるＯＩ報告フォーマット自動生成と最適化の装置模式図である。
【図４】本発明におけるＯＩ報告フォーマット自動生成と最適化の他の装置模式図である。
【図１】
0005145464.tif 000005
【図２】
0005145464.tif 000006
【図３】
0005145464.tif 000007
【図４】
0005145464.tif 000008